(57)【要約】      （修正有）【課題】枢接手段による湿気などの侵入問題が解決される回動部付き電子機器を提供する。【解決手段】その中に第１セットの電子機材を内蔵した中空形の回動部が枢接手段により回動可能にその中に第２セットの電子機材を内蔵した中空形の本体に連結されてなっており、且つ、枢接手段が、少なくとも互いに回転できるように嵌合している第１の凹凸構造を備えており、第１の凹凸構造の一方が回動部に、他方が前記本体部に形成されており、また、第１セットの電子機材と第２セットの電子機材とが第１の凹凸構造のほぼ軸線方向にその凸構造を経由した配線により電気的に結合している回動部付き電子機器において、第１の凹凸構造における凹構造と凸構造との間の隙間は、その両端中の少なくとも一方がシールにより封止されていることを特徴とする回動部付き電子機器を提供する。【選択図】図２
0003122197.tif 000002
【実用新案登録請求の範囲】
【請求項１】
その中に第１セットの電子機材を内蔵した中空形の回動部が枢接手段により回動可能にその中に第２セットの電子機材を内蔵した中空形の本体に連結されてなっており、
且つ、前記枢接手段が、少なくとも互いに回転できるように嵌合している第１の凹凸構造を備えており、該第１の凹凸構造の一方が前記回動部に、他方が前記本体部に形成されており、
また、前記第１セットの電子機材と前記第２セットの電子機材とが前記第１の凹凸構造のほぼ軸線方向にその凸構造を経由した配線により電気的に結合している回動部付き電子機器において、
前記第１の凹凸構造における凹構造と凸構造との間の隙間は、その両端中の少なくとも一方がシールにより封止されていることを特徴とする回動部付き電子機器。
【請求項２】
前記第１の凹凸構造における凹構造は前記本体部の中空内部にも開口する底面のないものであって前記本体部に形成されており、
前記第１の凹凸構造における凸構造は外から前記凹構造内に挿入しており、
また、前記シールは、前記第１の凹凸構造における凸構造上の凹構造の外部開口外に設置されていることを特徴とする請求項１に記載の回動部付き電子機器。
【請求項３】
前記枢接手段は、更に、前記第１の凹凸構造の反対側に、互いに回転できるように嵌合している第２の凹凸構造を備えており、該第２の凹凸構造の一方が前記回動部に、他方が前記本体部に形成されており、
前記第２の凹凸構造における凹構造内に、前記回動部に前記第１の凹凸構造の方へ押し付ける力を与える付勢手段が取付けられていて前記回動体の他端縁と前記第１の凹凸構造における凹構造の口外周縁とで前記シールを挟んでいることを特徴とする請求項２に記載の回動部付き電子機器。
【請求項４】
前記第２の凹凸構造における凸構造は、その先端面に凹陥部が形成してあるものであり、
前記付勢手段は、その付勢力により両端で前記第２の凹凸構造における凹構造の底面と前記凹陥部の底面とを押し付けているコイルばねであることを特徴とする請求項３に記載の回動部付き電子機器。
【請求項５】
前記第１の凹凸構造における凸構造の先端面に、固定シートが、その周縁部が前記第１の凹凸構造における凹構造の内周面の周縁部に当接するように取付けられていることを特徴とする請求項４に記載の回動部付き電子機器。
【請求項６】
前記回動部は円筒形の撮影手段であって、前記第１の凹凸構造及び前記第２の凹凸構造により、その両端で、前記本体部の周縁に形成してある凹部内に枢支されていることを特徴とする請求項１〜５に記載の回動部付き電子機器。
【考案の詳細な説明】
【技術分野】
【０００１】
本考案は回動部付き電子機器に関し、特に、その回動部の隙間からの電子機器内部への湿気などの侵入の問題が改善される回動部付き電子機器に関する。
【背景技術】
【０００２】
電子機器の中に、回動部がついているものが沢山ある。手持ち型のものを例として挙げれば、携帯電話、カメラ、パーソナル・デジタルアシスタント（ＰＤＡ）などがそれである。図４に示すのは従来の回動部付き電子機器−ＰＤＡである。この従来の回動部付き電子機器１は、中空形の本体部１１と枢接手段（図示せず）により本体部１１に取り付けられている撮影手段としての中空形の回動部１２とからなったものである。
【０００３】
撮影手段としての回動部１２の中空内部にはもちろん電子機材も内蔵されているが、該電子機材は本体部１１の中空内部に内蔵されている電子機材と配線（図示せず）により結合され制御されなければならないので、配線は前記枢接手段に配置され本体部１１及び回動部１２それぞれの中空内部を連通させている通孔（図示せず）を経由している。さらに、枢接手段には、２つの相対的回動／回転可能な構造があり、その間に隙間がある。
【０００４】
それがために、本体部１１及び回動部１２それぞれの中空内部はまず前記通孔、そして前記隙間により多かれ少なかれ大気と連通していて湿気などの侵入が問題になる。
【考案の開示】
【考案が解決しようとする課題】
【０００５】
従って、本考案は、前記枢接手段による湿気などの侵入の問題が解決される回動部付き電子機器を提供することを目的とする。
【課題を解決するための手段】
【０００６】
前記課題を達成するために、本考案は、その中に第１セットの電子機材を内蔵した中空形の回動部が枢接手段により回動可能にその中に第２セットの電子機材を内蔵した中空形の本体に連結されてなっており、且つ、前記枢接手段が、少なくとも互いに回転できるように嵌合している第１の凹凸構造を備えており、該第１の凹凸構造の一方が前記回動部に、他方が前記本体部に形成されており、また、前記第１セットの電子機材と前記第２セットの電子機材とが前記第１の凹凸構造のほぼ軸線方向にその凸構造を経由した配線により電気的に結合している回動部付き電子機器において、前記第１の凹凸構造における凹構造と凸構造との間の隙間は、その両端中の少なくとも一方がシールにより封止されていることを特徴とする回動部付き電子機器を提供する。
【考案の効果】
【０００７】
上記構成による本考案の回動部付き電子機器は、凹凸構造における凹構造と凸構造との間の隙間をシールで封止したので、湿気などの電子機器内部への侵入を阻止し、即ち電子機器内部の気密性を保ち、電子機器の信頼性を高めることができる。
【考案を実施するための最良の形態】
【０００８】
図１〜図３に示すのは、本考案の回動部付き電子機器の実施形態例として挙げられたパーソナル・デジタルアシスタント（以下、ＰＤＡと称す）である。図１はその斜視図であり、図２はその分解構成図であり、図３はその要部の断面構成図である。
【０００９】
まず、図１を見てみると、このＰＤＡは、カメラ部（撮影手段）３が付設されている。このカメラ部３は円筒形になっており、本体部２に枢支されている。
【００１０】
そして、図２及び図３をも参照すると、本体部２及びカメラ部３はそれぞれ中空形であり、電子機材を内蔵している。本体部２の前周縁２３に凹部２２が形成されており、その凹部２２の両端面にそれぞれ円筒状の凹構造２４、２５が形成されている。その両端面中の凹構造２４がついている一方は本体部２の中空形になっているところであり、凹構造２５がついている他方は本体部２の中空形に実体形になっているところである。それに、凹構造２４は底面がなく、その奥側が開口となっていて本体部２の内部空間と連通している。凹構造２５は底面があり、本体部２の内部空間とまったく連通していない。
【００１１】
円筒状のカメラ部３は、その両端面に凹構造２４、２５と対応している凸構造３１１、３１２が形成されている。凸構造３１１が外から凹構造２４に挿入して嵌まり合い、凸構造３１２も外から凹構造２５に挿入して嵌まり合っている。これらの嵌まり合いによって、カメラ部３は本体部２に対して回転できるようになっている。図２をみてみると、円柱状に形成された凸構造３１１の外周面にゴム製の環状シール４１が設置されている。更に図３をみてみると、この環状シール４１は、前記凸構造３１１上の凹構造２４の外部側開口外にあって該凹構造２４の外部側開口の周縁とカメラ部３の両端面とに挟まれている。凸構造３１１の先端面に、固定シート３３が固定ねじ３４により、その周縁部が凹構造２４の奥側にある開口外の周縁部に当接するように取付けられている。更に、配線３２が、凹構造２４及び凸構造３１１の軸線方向Ｘに沿って凸構造３１１と固定シート３３とを貫通した通孔３５を経由して主体部２及びカメラ部３それぞれに内蔵されている電子機材を電気的に連結している。また、凸構造３１２は底面付きの円筒状になっており、その筒内に付勢手段としてその付勢力により両端で該円筒状凸構造３１２の筒内にある底面と凹構造２５の底面とを押し付けるコイルばね４２が取付けられている。
【００１２】
続いて、このカメラ部付きのＰＤＡのその前記構造による長所を説明する。  
図示のように、凹構造２４の外周縁とカメラ部３との間の隙間は、凸構造３１１の外周面に設置されている環状のシール４１により封止されている。また、凸構造３１１の反対側にある凸構造３１２内に取付けられているコイルばね４２は、その両端がカメラ部３と凹構造２５の底面とをそれぞれ押し付けている。コイルばね４２の押し付けにより、カメラ部３は左へ移動する力を得たため、シール４１を凹構造２４の外周縁に押し付けている。この構成により、凹構造２４の外周縁とカメラ部３との間に挟まれているシール４１の両端面はしっかりと密閉するようになっているので、湿気などの本体部２とカメラ部３との結合により存在している隙間から電子機器内部への侵入を阻止できる。
【００１３】
また、該ＰＤＡの長期使用により、摩擦のためシール４１の厚さが少しずつ減っていくが、反対側にあるコイルばね４２が常にカメラ部３を左へ押しているため、シール４１が摩擦により完全になくなるまで、シール４１の両端は密閉を保ち続けるので、使用寿命も長く伸ばすことができる。
【産業上の利用可能性】
【００１４】
上記構成による本考案の回動部付き電子機器（ＰＤＡ）は、凹凸構造２４、３１１における凹構造３４と凸構造３１１との間の隙間をシール４１で封止したので、湿気の電子機器内部への侵入を阻止し、即ち電子機器内部の気密性を保ち、電子機器の信頼性を高めることができ、電子機器の使用寿命を伸すことができるので、かなり有用である。
【図面の簡単な説明】
【００１５】
【図１】回動できるカメラ部付きの電子機器−ＰＤＡの斜視図。
【図２】図１に示すＰＤＡの分解構成図である。
【図３】図１に示すＰＤＡの要部断面図である。
【図４】従来の回動部付き電子機器−ＰＤＡである。
【符号の説明】
【００１６】
２  本体部
２２  凹部
２３  前周縁
２４  凹構造
２５  凹構造
３  カメラ部
３１１  凸構造
３１２  凸構造
３２  配線
３３  固定シート
３４  固定ねじ
３５  通孔
４１  シール
４２  コイルばね
【図１】
0003122197.tif 000003
【図２】
0003122197.tif 000004
【図３】
0003122197.tif 000005
【図４】
0003122197.tif 000006
【手続補正書】
【提出日】平成18年3月23日(2006.3.23)
【手続補正１】
【補正対象書類名】実用新案登録請求の範囲
【補正対象項目名】全文
【補正方法】変更
【補正の内容】
【実用新案登録請求の範囲】
【請求項１】
その中に第１セットの電子機材を内蔵した中空形の回動部が枢接手段により回動可能にその中に第２セットの電子機材を内蔵した中空形の本体に連結されてなっており、
且つ、前記枢接手段が、少なくとも互いに回転できるように嵌合している第１の凹凸構造を備えており、該第１の凹凸構造の一方が前記回動部に、他方が前記本体部に形成されており、
また、前記第１セットの電子機材と前記第２セットの電子機材とが前記第１の凹凸構造のほぼ軸線方向にその凸構造を経由した配線により電気的に結合している回動部付き電子機器において、
前記第１の凹凸構造における凹構造と凸構造との間の隙間は、その両端中の少なくとも一方がシールにより封止されていることを特徴とする回動部付き電子機器。
【請求項２】
前記第１の凹凸構造における凹構造は前記本体部の中空内部にも開口する底面のないものであって前記本体部に形成されており、
前記第１の凹凸構造における凸構造は外から前記凹構造内に挿入しており、
また、前記シールは、前記第１の凹凸構造における凸構造上の凹構造の外部開口外に設置されていることを特徴とする請求項１に記載の回動部付き電子機器。
【請求項３】
前記枢接手段は、更に、前記第１の凹凸構造の反対側に、互いに回転できるように嵌合している第２の凹凸構造を備えており、該第２の凹凸構造の一方が前記回動部に、他方が前記本体部に形成されており、
前記第２の凹凸構造における凹構造内に、前記回動部に前記第１の凹凸構造の方へ押し付ける力を与える付勢手段が取付けられていて前記回動体の他端縁と前記第１の凹凸構造における凹構造の口外周縁とで前記シールを挟んでいることを特徴とする請求項２に記載の回動部付き電子機器。
【請求項４】
前記第２の凹凸構造における凸構造は、その先端面に凹陥部が形成してあるものであり、
前記付勢手段は、その付勢力により両端で前記第２の凹凸構造における凹構造の底面と前記凹陥部の底面とを押し付けているコイルばねであることを特徴とする請求項３に記載の回動部付き電子機器。
【請求項５】
前記第１の凹凸構造における凸構造の先端面に、固定シートが、その周縁部が前記第１の凹凸構造における凹構造の内周面の周縁部に当接するように取付けられていることを特徴とする請求項４に記載の回動部付き電子機器。
【請求項６】
前記回動部は円筒形の撮影手段であって、前記第１の凹凸構造及び前記第２の凹凸構造により、その両端で、前記本体部の周縁に形成してある凹部内に枢支されていることを特徴とする請求項１〜５のいずれか一項に記載の回動部付き電子機器。